(57)【要約】【課題】より簡易且つすみやかに適切な画質の設定を行なう。【解決手段】入力されるカラー画像信号に応じた光像を形成して投影する投影系(17〜23)と、投影系(17〜23)が投影する光像のカラー条件の変更を指示する操作部30と、操作部30での指示により、選択可能な複数のカラー条件に基づく一覧サンプル画像を作成して投影系(17〜23)により投影させ、その一覧画像に伴ってカラー条件を操作部30で選択させ、選択されたカラー条件を設定する制御系27〜29とを備える。【選択図】図１
2011013370.tif 000002
【特許請求の範囲】
【請求項１】
入力されるカラー画像信号に応じた光像を形成して投影する投影手段と、
上記投影手段が投影する光像のカラー条件の変更を指示する指示手段と、
上記指示手段での指示により、選択可能な複数のカラー条件に基づく一覧サンプル画像を作成して上記投影手段により投影させる投影制御手段と、
上記投影制御手段での一覧画像に伴ってカラー条件を選択する選択手段と、
上記選択手段で選択されたカラー条件を設定する設定手段と
を具備したことを特徴とする投影装置。
【請求項２】
上記投影制御手段は、上記指示手段での指示があった時点で入力されているカラー画像信号を用いて一覧サンプル画像を作成することを特徴とする請求項１記載の投影装置。
【請求項３】
入力されるカラー画像信号に応じた光像を形成して投影する投影部を備えた投影装置での投影制御方法であって、
上記投影部が投影する光像のカラー条件の変更を指示する指示工程と、
上記指示工程での指示により、選択可能な複数のカラー条件に基づく一覧サンプル画像を作成して上記投影部により投影させる投影制御工程と、
上記投影制御工程での一覧画像に伴ってカラー条件を選択する選択工程と、
上記選択工程で選択されたカラー条件を設定する設定工程と
を有したことを特徴とする投影制御方法。
【請求項４】
入力されるカラー画像信号に応じた光像を形成して投影する投影部を備えた投影装置が内蔵するコンピュータが実行するプログラムであって、
上記投影部が投影する光像のカラー条件の変更を指示する指示ステップと、
上記指示ステップでの指示により、選択可能な複数のカラー条件に基づく一覧サンプル画像を作成して上記投影部により投影させる投影制御ステップと、
上記投影制御ステップでの一覧画像に伴ってカラー条件を選択する選択ステップと、
上記選択ステップで選択されたカラー条件を設定する設定ステップと
をコンピュータに実行させることを特徴とするプログラム。
【発明の詳細な説明】
【技術分野】
【０００１】
本発明は、投影環境に対応した複数のカラーモードから１つを選択可能なデータプロジェクタ等に好適な投影装置、投影制御方法及びプログラムに関する。
【背景技術】
【０００２】
従来、画像表示装置を使用する場所において適切な画質調整パラメータを自動的に設定することを目的とし、画像表示装置に対して画質調整パラメータの設定が可能な外部の管理サーバにより、画像表示装置の使用場所を特定し、特定した使用場所に対応する画質調整パラメータを取得して、取得した画質調整パラメータを該画像表示装置に与えるようにし他技術が考えられている。（例えば、特許文献１）
【先行技術文献】
【特許文献】
【０００３】
【特許文献１】特開２００７−１３９８５５号公報
【発明の概要】
【発明が解決しようとする課題】
【０００４】
上記特許文献に記載された技術は、画像表示装置の外部機器である管理サーバにより、複数の画像表示装置に対してそれぞれ使用場所に適した画質調整パラメータを設定する技術である。
【０００５】
したがって、画像表示装置単体で画質調整を行なうことや、画像表示装置のユーザが使用場所ではなく任意に画質調整を行なうことについては考慮されていない。
【０００６】
データプロジェクタを含む画像表示装置単体で画質調整を行なう場合、一般的にはいくつかの設定を事前に用意しておき、ユーザが適当なものを選択することにより、画質設定を容易に行なうようにしている。
【０００７】
しかしながら、その選択は、順次それらの設定を適用して表示される画像をユーザが視認した上で比較しながら選択するものである。多くの場合、ユーザは一通りの設定を行なって表示される画質を確認した後、あらためてそれらの中から適切と思われる画質の設定を再選択する、という過程をとることとなり、結果として所望の設定を行なうまでに煩雑な作業が必要となる。
【０００８】
本発明は上記のような実情に鑑みてなされたもので、その目的とするところは、より簡易且つすみやかに適切な画質の設定を行なうことが可能な投影装置、投影制御方法及びプログラムを提供することにある。
【課題を解決するための手段】
【０００９】
請求項１記載の発明は、入力されるカラー画像信号に応じた光像を形成して投影する投影手段と、上記投影手段が投影する光像のカラー条件の変更を指示する指示手段と、上記指示手段での指示により、選択可能な複数のカラー条件に基づく一覧サンプル画像を作成して上記投影手段により投影させる投影制御手段と、上記投影制御手段での一覧画像に伴ってカラー条件を選択する選択手段と、上記選択手段で選択されたカラー条件を設定する設定手段とを具備したことを特徴とする。
【００１０】
請求項２記載の発明は、上記請求項１記載の発明において、上記投影制御手段は、上記指示手段での指示があった時点で入力されているカラー画像信号を用いて一覧サンプル画像を作成することを特徴とする。
【００１１】
請求項３記載の発明は、入力されるカラー画像信号に応じた光像を形成して投影する投影部を備えた投影装置での投影制御方法であって、上記投影部が投影する光像のカラー条件の変更を指示する指示工程と、上記指示工程での指示により、選択可能な複数のカラー条件に基づく一覧サンプル画像を作成して上記投影部により投影させる投影制御工程と、上記投影制御工程での一覧画像に伴ってカラー条件を選択する選択工程と、上記選択工程で選択されたカラー条件を設定する設定工程とを有したことを特徴とする。
【００１２】
請求項４記載の発明は、入力されるカラー画像信号に応じた光像を形成して投影する投影部を備えた投影装置が内蔵するコンピュータが実行するプログラムであって、上記投影部が投影する光像のカラー条件の変更を指示する指示ステップと、上記指示ステップでの指示により、選択可能な複数のカラー条件に基づく一覧サンプル画像を作成して上記投影部により投影させる投影制御ステップと、上記投影制御ステップでの一覧画像に伴ってカラー条件を選択する選択ステップと、上記選択ステップで選択されたカラー条件を設定する設定ステップとをコンピュータに実行させることを特徴とする。
【発明の効果】
【００１３】
本発明によれば、より簡易且つすみやかに適切な画質の設定を行なうことが可能となる。
【図面の簡単な説明】
【００１４】
【図１】本発明の一実施形態に係るデータプロジェクタ装置の機能的な回路構成を示すブロック図。
【図２】同実施形態に係るカラーモードの選択処理の内容を示すフローチャート。
【図３】同実施形態に係るカラーモードの一覧投影画像を例示する図。
【発明を実施するための形態】
【００１５】
以下本発明をＤＬＰ（Ｄｉｇｉｔａｌ  Ｌｉｇｈｔ  Ｐｒｏｃｅｓｓｉｎｇ）（登録商標）方式のデータプロジェクタ装置に適用した場合の一実施形態について図面を参照して説明する。
【００１６】
図１は、同実施形態に係るデータプロジェクタ装置１０が備える電子回路の概略機能構成を示すブロック図である。  
１１は入出力コネクタ部であり、例えばピンジャック（ＲＣＡ）タイプのビデオ入力端子、Ｄ−ｓｕｂ１５タイプのＲＧＢ入力端子、及びＵＳＢ（Ｕｎｉｖｅｒｓａｌ  Ｓｅｒｉａｌ  Ｂｕｓ）コネクタを含む。
【００１７】
入出力コネクタ部１１より入力される各種規格の画像信号は、入出力インタフェース（Ｉ／Ｆ）１２、システムバスＳＢを介し、一般にスケーラとも称される画像変換部１３に入力される。
【００１８】
画像変換部１３は、入力された画像信号を投影に適した所定のフォーマットの画像信号に統一し、適宜表示用のバッファメモリであるビデオＲＡＭ１４に記憶した後に、投影画像処理部１５へ送る。
【００１９】
この際、ＯＳＤ（Ｏｎ  Ｓｃｒｅｅｎ  Ｄｉｓｐｌａｙ）用の各種動作状態を示すシンボル等のデータも必要に応じてビデオＲＡＭ１４で画像信号に重畳加工され、加工後の画像信号が投影画像処理部１５へ送られる。
【００２０】
投影画像処理部１５は、送られてきた画像信号に応じて、所定のフォーマットに従ったフレームレート、例えば６０［フレーム／秒］と色成分の分割数、及び表示階調数を乗算した、より高速な時分割駆動により、空間的光変調素子（ＳＬＭ）であるマイクロミラー素子１６を表示駆動する。
【００２１】
このマイクロミラー素子１６は、アレイ状に配列された複数、例えばＸＧＡ（横１０２４画素×縦７６８画素）分の微小ミラーの各傾斜角度を個々に高速でオン／オフ動作することでその反射光により光像を形成する。
【００２２】
一方で、光源である半導体レーザ１７の発振により紫外領域、例えば波長３４０［ｎｍ］のレーザ光が発生され、光源側レンズ系１８を介して、回転体である蛍光体ホイール１９の周上の一点に照射される。
【００２３】
蛍光体ホイール１９は、例えば紫外光の照射によりＲ（赤色），Ｇ（緑色），Ｂ（青色）の蛍光を発する３枚の扇形状蛍光体を周状に分割配列して構成される。上記半導体レーザ１７からのレーザ光の照射により蛍光体ホイール１９から発したＲ，Ｇ，Ｂのいずれかの蛍光は、インテグレータ２０で輝度分布が均一な光束とされ、さらに中間レンズ系２１を介して平行光とされた後に、ミラー２２で全反射して上記マイクロミラー素子１６に照射される。
【００２４】
そして、マイクロミラー素子１６での反射光で光像が形成され、形成された光像が投影レンズユニット２３を介して、投影対象となる図示しないスクリーンに投影表示される。
【００２５】
半導体レーザ１７は、投影光処理部２４に励振されて紫外域のレーザ光を発振する。この投影光処理部２４はさらに、上記蛍光体ホイール１９を回転するモータ（Ｍ）２５、及びマーカセンサ２６の駆動制御を行なう。
【００２６】
マーカセンサ２６は、蛍光体ホイール１９の回転周端に対向して配置され、該蛍光体ホイール１９の周端の一点に配置された図示しないマーカと対向したタイミングで検出信号としてのパルスを出力するもので、このパルスの間隔により蛍光体ホイール１９の回転位相と周期とが検出可能となる。
【００２７】
投影光処理部２４は、投影画像処理部１５から与えられる画像データに応じて蛍光体ホイール１９の回転を制御する。
【００２８】
上記各回路の動作すべてをＣＰＵ２７が制御する。このＣＰＵ２７は、ＤＲＡＭで構成されたメインメモリ２８、及び動作プログラムや各種定型データ等を記憶した電気的書換可能な不揮発性メモリでなるプログラムメモリ２９を用いてこのデータプロジェクタ装置１０内の制御動作を実行する。
【００２９】
上記ＣＰＵ２７は、操作部３０からのキー操作信号に応じて各種投影動作を実行する。  
この操作部３０は、データプロジェクタ装置１０の本体に設けられるキー操作部と、このデータプロジェクタ装置１０専用の図示しないリモートコントローラの間で赤外光を受光するレーザ受光部を含み、ユーザが本体のキー操作部またはリモートコントローラで操作したキーに基づくキー操作信号をＣＰＵ２９へ直接出力する。
【００３０】
操作部３０は、上記キー操作部、及びリモートコントローラ共に、例えばフォーカス調整キー、ズーム調整キー、メニューキー、カーソル（←，→，↑，↓）キー、セットキー、キャンセルキー、カラーモードキーを備えるものとする。
【００３１】
上記ＣＰＵ２７はさらに、上記システムバスＳＢを介して音声処理部３１とも接続される。音声処理部３１は、ＰＣＭ音源等の音源回路を備え、投影動作時に与えられる音声データをアナログ化し、スピーカ部３２を駆動して拡声放音させ、あるいは必要によりビープ音等を発生させる。
【００３２】
次に上記実施形態の動作について説明する。  
なお、以下に示す処理内容はすべてＣＰＵ２７がプログラムメモリ２９に記憶されている動作プログラム及び固定パラメータを読み出してメインメモリ２８に展開し、該プログラム中のコマンドを順次実行していくことで実現される。
【００３３】
図２は、入力画像に対する投影動作と平行して実行される、カラーモード設定の処理内容を示す。同図に示すように投影動作時には常に、操作部３０のカラーモードキーが操作されたか否かの判断を繰返し実行し。当該キーが操作されるのを待機している（ステップＳ１０１）。
【００３４】
そして操作部３０のカラーモードキーが操作された時点で、ステップＳ１０１によりそれを判断し、その時点で入力されている画像信号を用いて、次に選択可能なすべてのカラーモードによるサンプル画像を形成して一覧投影する（ステップＳ１０２）。
【００３５】
サンプル画像は、入力されている画像信号を元に、あらかじめ決められたモードに対応した画像の明るさやコントラスト、ガンマーカーブ、エッジ処理などのさまざまな画像処理を施し、さらに複数の画像を同時に投写できるよう、縮小した画像サイズを複数配列する形で投影される。例えば図３では、４つのそれぞれのモードに対応して、画像処理が施され、それらを縮小して２行×２列に配置された形で投影する。
【００３６】
図３は、このとき投影レンズユニット２３から図示しないスクリーンＳＣに向けて投影される全４つのカラーモードの一覧画像ＩＭ１〜ＩＭ４を例示する。ここでは、「プレゼンテーション」「スタンダード」「グラフィックス」及び「シアター」の計４つのカラーモードがあるものとする。
【００３７】
加えて、これら各カラーモード中の１つ、例えば「プレゼンテーション」モード画像ＩＭ１に対して、フレームＦＲを合わせて投影することでその時点の選択状態を示す。
【００３８】
「プレゼンテーション」モードは、明るい場所での一般的なプレゼンテーションに適したカラー設定である。  
「スタンダード」モードは、色表現を重視したプレゼンテーション用のカラー設定である。  
「グラフィックス」モードは、このデータプロジェクタ装置１０の投影能力の範囲内で写真等が自然に見えるようにしたカラー設定である。  
「シアター」モードは、映画の暗い部分をすっきりと見せるカラー設定である。
【００３９】
これらの各カラーモードは、プログラムメモリ２９から読出すパラメータ値に従ってマイクロミラー素子１６で表示するＲ，Ｇ，Ｂの各原色画像の階調値を調整することにより実現される。
【００４０】
このように、その時点で投影されている画像を用いた各カラーモードのサンプル画像を一覧投影した状態から、カラーモードを確定するために操作部３０のセットキーが操作されたか否か（ステップＳ１０３）、他のカラーモードを選択するために操作部３０のカーソルキーが操作されたか否か（ステップＳ１０４）、を繰返し判断することで、これらのキー操作があるのを待機する。
【００４１】
ここで操作部３０のカーソルキーが操作された場合、上記ステップＳ１０４でそれを判断し、操作されたキーに対応して一覧画像中のフレームＦＲを移動させた後（ステップＳ１０５）、再び上記ステップＳ１０３からの処理に戻る。
【００４２】
そして、カラーモードを確定するべく操作部３０のセットキーが操作されると、上記ステップＳ１０３でそれを判断し、次に確定されたカラーモードが上記「プレゼンテーション」「スタンダード」「グラフィックス」及び「シアター」の各モードのいずれであるかを判断する（ステップＳ１０６）。
【００４３】
ここで、確定されたのが「プレゼンテーション」モードであったと判断した場合には、プログラムメモリ２９から読出すパラメータに従い、暗部も含めて画像全体を明るくし、画像中の文字、図版の視認性を向上するようなカラー設定を投影画像処理部１５で行なった後に（ステップＳ１０７）、次のカラーモードキーの操作を待機するべく上記ステップＳ１０１に戻る。
【００４４】
また、上記ステップＳ１０６で確定されたのが「スタンダード」モードであったと判断した場合には、プログラムメモリ２９から読出すパラメータに従い、色彩を強調しながら明部分をより明るくしてコントラストを向上するようなカラー設定を投影画像処理部１５で行なった後に（ステップＳ１０８）、次のカラーモードキーの操作を待機するべく上記ステップＳ１０１に戻る。
【００４５】
さらに、上記ステップＳ１０６で確定されたのが「グラフィックス」モードであったと判断した場合には、プログラムメモリ２９から読出すパラメータに従い、色温度を下げて自然な描写とするようなカラー設定を投影画像処理部１５で行なった後に（ステップＳ１０９）、次のカラーモードキーの操作を待機するべく上記ステップＳ１０１に戻る。
【００４６】
そして、上記ステップＳ１０６で確定されたのが「シアター」モードであったと判断した場合には、プログラムメモリ２９から読出すパラメータに従い、全体の明るさを抑えつつ、暗部の階調表現を重視するようなカラー設定を投影画像処理部１５で行なった後に（ステップＳ１１０）、次のカラーモードキーの操作を待機するべく上記ステップＳ１０１に戻る。
【００４７】
このように、選択可能な複数のカラーモードの設定内容をサンプルとして反映した一覧画像中から１つを選択することで、その選択したカラーモードの設定が行えるため、ユーザが装置の操作を習熟しておらずとも、より簡易且つすみやかに適切な画質の設定を行なうことが可能となる。
【００４８】
加えて上記実施形態では、カラーモードキーが操作された時点で入力されている画像信号に基づいたサンプル画像を作成して一覧画像として投影させるため、ユーザが所望している設定をその時点の投影画像から直接確認しながら選択を行なうことができ、より確実に画質の設定を行なうことができる。
【００４９】
なお、上記実施形態では、複数のカラーモードとして「プレゼンテーション」「スタンダード」「グラフィックス」及び「シアター」の各モードから１つを選択する場合について例にとって説明したが、本発明はこれらのカラーモードで限定するものではない。
【００５０】
また、上記実施形態では、サンプル画像を入力画像を縮小した形を配列したが、入力画像の一部を各カラーモードのサンプル画像として配列してもよい。
【００５１】
さらに、上記実施形態は本発明を単板式のＤＬＰ方式のデータプロジェクタ装置１０に適用した場合について説明したが、本発明はデータプロジェクタ装置の投影方式を限定するものではなく、またデータプロジェクタ装置のみならず、例えばリアプロジェクション方式のテレビ受像機等にも同様に適用し得る。
【００５２】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００５３】
１０…データプロジェクタ装置、１１…入出力コネクタ部、１２…入出力インタフェース（Ｉ／Ｆ）、１３…画像変換部（スケーラ）、１４…ビデオＲＡＭ、１５…投影画像処理部、１６…マイクロミラー素子（ＳＬＭ）、１７…半導体レーザ、１８…光源側レンズ系、１９…蛍光体ホイール、２０…インテグレータ、２１…中間レンズ系、２２…ミラー、２３…投影レンズユニット、２４…投影光処理部、２５…モータ（Ｍ）、２６…マーカセンサ、２７…ＣＰＵ、２８…メインメモリ、２９…プログラムメモリ、３０…操作部、３１…音声処理部、３２…スピーカ部、ＦＲ…フレーム、ＳＢ…システムバス、ＳＣ…スクリーン。
【図１】
2011013370.tif 000003
【図２】
2011013370.tif 000004
【図３】
2011013370.tif 000005